(57)【特許請求の範囲】
【請求項１】
本体フレームと、
本体フレームの一端部および他端部にそれぞれ設けられ少なくとも一部が分離可能のベルト巻掛輪装置と、
両端部のベルト巻掛輪装置間に回行自在に巻掛けられた無端ベルトと、
本体フレームにこの本体フレームを支点に回動可能とすることで開閉可能に設けられ閉じ状態で無端ベルトの下側部と上側部との間に位置して上側部を支持するベルト受け体と
を具備したことを特徴とするベルトコンベヤ。
【請求項２】
本体フレームと、
本体フレームの一端部および他端部にそれぞれ設けられ少なくとも一部が分離可能のベルト巻掛輪装置と、
両端部のベルト巻掛輪装置間に回行自在に巻掛けられた無端ベルトと、
本体フレームに中央から観音開きで開閉可能に設けられ閉じ状態で無端ベルトの下側部と上側部との間に位置して上側部を支持するベルト受け体と
を具備したことを特徴とするベルトコンベヤ。
【請求項３】
本体フレームは、円形断面のパイプであることを特徴とする請求項１または２記載のベルトコンベヤ。
【請求項４】
ベルト巻掛輪装置は、
本体フレームの一端部に対し一部が脱着可能に設けられた駆動側のベルト巻掛輪装置と、
本体フレームの他端部に対し屈曲可能かつ脱着可能に設けられた従動側のベルト巻掛輪装置と
を具備したことを特徴とする請求項１乃至３のいずれかに記載のベルトコンベヤ。
【請求項５】
本体フレームに係脱自在の作業台
を具備したことを特徴とする請求項１乃至４のいずれかに記載のベルトコンベヤ。
【発明の詳細な説明】
【０００１】
【発明の属する技術分野】
本発明は、ベルト脱着構造に特徴を有するベルトコンベヤに関する。
【０００２】
【従来の技術】
図９に示されるように、従来のベルト脱着可能のベルトコンベヤは、本体フレーム１間にベルト受け板２が一体に設けられ、本体フレーム１の一端部および他端部にベルト巻掛ローラ３，４がそれぞれ軸支され、一端部のベルト巻掛ローラ３、ベルト受け板２および他端部のベルト巻掛ローラ４に無端ベルト５が回行自在に巻掛けられ、本体フレーム１は、片側の支持脚部６により片持ち支持され、一方のベルト巻掛ローラ３に対して無端ベルト５を緩めるベルト緩め装置７が設けられている。
【０００３】
そして、無端ベルト５が汚れた場合は、ベルト緩め装置７により無端ベルト５の張力を緩め、無端ベルト５を支持脚部６が設けられていない側へ移動して、ベルト受け板２およびベルト巻掛ローラ３，４から取外し、この無端ベルト５を水洗いしている。
【０００４】
【発明が解決しようとする課題】
この従来の装置においては、無端ベルト５を取外す側に十分な作業スペースを確保する必要があり、例えば無端ベルト５を取外す側に壁面、作業テーブルなどの障害物がある場合は、無端ベルト５の脱着が容易でなく、短時間で無端ベルト５を交換などできない問題がある。
【０００５】
本発明は、このような点に鑑みなされたもので、コンベヤの周囲に余裕スペースがない場合でも、無端ベルトを必要に応じて容易に脱着できるベルトコンベヤを提供することを目的とするものである。
【０００６】
【課題を解決するための手段】
請求項１に記載された発明は、本体フレームと、本体フレームの一端部および他端部にそれぞれ設けられ少なくとも一部が分離可能のベルト巻掛輪装置と、両端部のベルト巻掛輪装置間に回行自在に巻掛けられた無端ベルトと、本体フレームにこの本体フレームを支点に回動可能とすることで開閉可能に設けられ閉じ状態で無端ベルトの下側部と上側部との間に位置して上側部を支持するベルト受け体とを具備したベルトコンベヤである。
【０００７】
これにより、一端部および他端部のベルト巻掛輪装置のそれぞれの少なくとも一部を分離するとともに、ベルト受け体を本体フレームを支点に回動させるように開いて、無端ベルトを本体フレーム内より上方または下方へ取出し、また、ベルト受け体の裏側が汚れているときは、ベルト受け体を反転角度まで回動して洗浄する。
【０００８】
請求項２に記載された発明は、本体フレームと、本体フレームの一端部および他端部にそれぞれ設けられ少なくとも一部が分離可能のベルト巻掛輪装置と、両端部のベルト巻掛輪装置間に回行自在に巻掛けられた無端ベルトと、本体フレームに中央から観音開きで開閉可能に設けられ閉じ状態で無端ベルトの下側部と上側部との間に位置して上側部を支持するベルト受け体とを具備したベルトコンベヤである。
【０００９】
これにより、一端部および他端部のベルト巻掛輪装置のそれぞれの少なくとも一部を分離するとともに、ベルト受け体を中央から観音開きで開いて、無端ベルトを本体フレーム内より上方または下方へ取出し、また、観音開きのベルト受け体は、片開きの場合よりも、無端ベルト内で開く際に場所を取らず、また、本体フレーム内を全幅にわたって開口する。
【００１０】
請求項３に記載された発明は、請求項１または２記載のベルトコンベヤにて、本体フレームを円形断面のパイプで形成したものである。
【００１１】
これにより、円形断面の本体フレームは、角形断面フレームより埃が溜まりにくいとともに洗浄しやすく、また、それ自体がベルト受け体の開閉支軸となる。
【００１２】
請求項４に記載された発明は、請求項１乃至３のいずれかに記載のベルトコンベヤにて、ベルト巻掛輪装置が、本体フレームの一端部に対し一部が脱着可能に設けられた駆動側のベルト巻掛輪装置と、本体フレームの他端部に対し屈曲可能かつ脱着可能に設けられた従動側のベルト巻掛輪装置とを具備したものである。
【００１３】
これにより、従動側のベルト巻掛輪装置を屈曲させることにより、ベルト受け体を開くに当って無端ベルトを緩め、また、駆動側のベルト巻掛輪装置の一部を外して開口し、ベルト受け体を開き、さらに、従動側のベルト巻掛輪装置を本体フレームから外して無端ベルトから抜取ることにより、作業者は、本体フレームに沿って従動側から駆動側へと移動しながら、無端ベルトを巻取るようにしながら本体フレームより取外すことが可能である。
【００１４】
請求項５に記載された発明は、請求項１乃至４のいずれかに記載のベルトコンベヤにて、本体フレームに係脱自在の作業台を具備したものである。
【００１５】
これにより、作業台を必要に応じて本体フレームに係着して用いる。
【００１６】
【発明の実施の形態】
以下、本発明を、図１乃至図８に示された実施の形態を参照しながら説明する。
【００１７】
図１および図２は、ベルトコンベヤの全体を示し、本体フレーム11の一端部および他端部に、少なくとも一部が分離可能のベルト巻掛輪装置12，13がそれぞれ設けられ、これらの両端部のベルト巻掛輪装置12，13間に無端ベルト14が回行自在に巻掛けられている。
【００１８】
また、本体フレーム11に、４ブロックに分割形成されたベルト受け体15がそれぞれ開閉可能に設けられている。これらのベルト受け体15は、それぞれ閉じ状態で無端ベルト14の下側部14a と上側部14b との間に位置して、その上側部14b を支持するものである。
【００１９】
一端部のベルト巻掛輪装置12は、本体フレーム11の一端部に対し一部が脱着可能に設けられた駆動側のベルト巻掛輪装置であり、他端部のベルト巻掛輪装置13は、本体フレーム11の他端部に対し屈曲可能かつ脱着可能に設けられた従動側のベルト巻掛輪装置である。
【００２０】
図２および図３に示されるように、本体フレーム11の下側には、継手16により４本の脚部17がそれぞれ一体に取付けられ、これらの脚部17の下端部にはキャスタ18が取付けられ、本体フレーム11が移動可能に支持されている。
【００２１】
各々の脚部17間には、継手19によりＨ形に形成された補強材20が、継手21により一体に取付けられ、各脚部17間が補強されている。
【００２２】
本体フレーム11、脚部17および補強材20は、図３に示されるように、全てが同径の円形断面のパイプで形成されている。さらに、各々の継手16，19，21は、プーリ形の円板に円形断面のパイプ挿入穴がＴ形に設けられたものである。このため、同一規格のパイプおよび継手のみで、コンベヤ本体を形成できる利点がある。
【００２３】
図４に示されるように、駆動側のベルト巻掛輪装置12は、駆動側ローラ22と、この駆動側ローラ22の両端部を回動自在に支持するローラ支持部23と、駆動側ローラ22を駆動する駆動部24とからなる。
【００２４】
駆動側ローラ22を支持するローラ支持部23は、一側の本体フレーム11a の端部を延長して形成した一側のエンドローラハンガ25に、ベアリング内蔵のハウジング26が一体的に取付けられ、このハウジング26内のベアリングにより、駆動側ローラ22に嵌着されその一端面より突出されたローラ軸27の一端部が回動自在に支持されている。
【００２５】
さらに、前記ローラ支持部23は、他側の本体フレーム11b の端部を半分切欠形成した半欠部28に、他側のエンドローラハンガ29の一端部を半分切欠形成した半欠部30が係合され、これらの両方の半欠部28，30の外周面に、エンドローラハンガ29に摺動自在に嵌合されたロックスリーブ31を被嵌することにより、両方の半欠部28，30が固定され、さらに、このエンドローラハンガ29にハウジング33が一体的に取付けられ、このハウジング33の内側面に嵌合凹部34が形成されている。
【００２６】
そして、駆動側ローラ22の他端面より突出されたローラ軸27の他端部にベアリング内蔵のローラ側ハウジング35が回動自在に嵌合され、このローラ側ハウジング35に一体形成された凸部36に、上記ハウジング33の嵌合凹部34が嵌脱自在に嵌合されている。
【００２７】
したがって、この駆動側のベルト巻掛輪装置12は、ロックスリーブ31をハウジング33側へ移動させて半欠部28，30の係合部から外すのみで、片側のエンドローラハンガ29およびハウジング33を取外して、この箇所に切欠開口を設けることができ、このとき、駆動側ローラ22は片持ち支持される。
【００２８】
この片持ち支持構造により、駆動側のベルト巻掛輪装置12は、その一部が本体フレーム11の一端部に対し脱着可能に設けられていると言える。
【００２９】
また、駆動側ローラ22を駆動する駆動部24は、前記脚部17の一つにブラケット37が嵌着され、このブラケット37および前記一側のハウジング26にモータ取付板38がねじにより固定され、このモータ取付板38の内側にスペーサ39を介してモータ40の本体が取付けられ、このモータ40の本体は、モータ取付板38の内側に防水パッキンを介して取付けられたモータカバー41により覆われている。
【００３０】
一方、モータ取付板38の外側に突出されたモータ軸42と前記ローラ軸27とに、それぞれ駆動力伝達プーリ43，44が一体的に嵌着され、これらの駆動力伝達プーリ43，44間に駆動力伝達ベルト45が巻掛けられて、駆動力伝達系が構成されている。この駆動力伝達系は、モータ取付板38の外側に防水パッキンを介して取付けられたベルトカバー46により覆われている。
【００３１】
防水パッキンを介して取付けられたモータカバー41およびベルトカバー46により、水分が含まれる搬送物、水分が収容された搬送物、水分が付着した搬送物などに対応できる。
【００３２】
図５および図６に示されるように、従動側のベルト巻掛輪装置13は、従動側ローラ51と、この従動側ローラ51の両端部を回動自在に支持するローラ支持部52とを備えている。このローラ支持部52の取付構造は、次の通りである。
【００３３】
両側の本体フレーム11の端部にそれぞれスリーブ53が嵌着され、これらのスリーブ53にそれぞれアジャストボルト54の回動軸部55が回動自在に嵌合され、ストップリング56によりそれぞれ抜止め係止されている。
【００３４】
両側のアジャストボルト54は、それぞれ中央部に回動操作用のフランジ部57が一体に形成され、これらのフランジ部57を介して上記回動軸部55とは反対側にねじ部58がそれぞれ形成されている。
【００３５】
これらのアジャストボルト54の各ねじ部58に、それぞれ円筒形のナット部材59が螺合され、これらのナット部材59は、先端の中央部にそれぞれ凸部60が形成され、これらの凸部60の上側には凹溝61が形成されている。
【００３６】
これらのナット部材59の凸部60には、従動側ローラ51の両端部を軸支する両側のエンドローラハンガ62の端部にそれぞれ形成された凹形部63が嵌合されている。
【００３７】
両側のエンドローラハンガ62は、それらの先端部間がローラ軸64により連結され、このローラ軸64にベアリングを介して前記従動側ローラ51が回動自在に嵌合され、また、反対側の凹形部63間がキャリヤローラ軸65により連結され、このキャリヤローラ軸65にキャリヤローラ66，67が回動自在に嵌合されている。
【００３８】
上記キャリヤローラ軸65の両端部は、エンドローラハンガ62の屈曲支軸および脱着軸として機能し、両側のナット部材59の凸部60上の凹溝61に、回動可能かつ脱着可能に嵌合されている。
【００３９】
さらに、各ナット部材59から各エンドローラハンガ62にわたって両側のロックスリーブ68がそれぞれ摺動自在に嵌合され、ナット部材59とエンドローラハンガ62との一体化が図られている。これらのロックスリーブ68の内側には、キャリヤローラ軸65と嵌合する軸方向溝（図示せず）がそれぞれ切欠形成されている。
【００４０】
そして、これらのロックスリーブ68を、図６に示されるようにアジャストボルト54側へそれぞれスライドさせることにより、従動側ローラ51のエンドローラハンガ62を屈曲するとともに、そのキャリヤローラ軸65を各ナット部材59の凹溝61から外すことができる。
【００４１】
このような構造により、従動側のベルト巻掛輪装置13は、本体フレーム11の端部に対し屈曲可能かつ脱着可能に設けられていると言える。
【００４２】
また、両側のアジャストボルト54を回動操作すると、両側のナット部材59が軸方向移動して、従動側ローラ51を無端ベルト14の長手方向に移動調整できるから、無端ベルト14の張力を調整できる。
【００４３】
前記４ブロックに分割形成されたベルト受け体15は、図７に示されるように、左右に位置するものが、本体フレーム11を構成する２本の円形断面のパイプ11A ，11B を支点に、図７の２点鎖線で示された反転角度まで回動可能に設けられ、いわゆる観音開きが可能となっている。
【００４４】
各々のベルト受け体15は、図１に示されるように、無端ベルト14の移動方向に長尺な複数のキャリヤプレート71が、複数のキャリヤプレート支持部72に組付けられ、これらのキャリヤプレート支持部72の基端部に設けられたヒンジ部73が、図７に示されるように本体フレーム11のパイプ11A ，11B に、限られた回動範囲でそれぞれ回動自在に嵌合されている。
【００４５】
ベルト受け体15のヒンジ部73は、図７に示されるように、本体フレーム11のパイプ11A ，11B に円環状のヒンジリング74が回動自在に嵌合され、このヒンジリング74にキャリヤプレート支持部72の基端部が複数のねじ75で固定されたものである。
【００４６】
各々のキャリヤプレート支持部72は、図４乃至図６に示されるように上記ヒンジリング74を介してその両側に設けられた一対の支持板76が、上記ねじ75で一体化されたものである。
【００４７】
各々の支持板76は、図７に示されるように、その基端部に円弧状部77が形成され、この円弧状部77の一側部から接線方向に、ベルト受け体15の閉じ状態で回動を係止する閉じ位置係止部78が突設され、また、円弧状部77の他側部から径方向に、ベルト受け体15の開き状態で回動を係止する開き位置係止部79が突設されている。さらに、各々の支持板76の先端側および基端側の上部には、フック部81，82がそれぞれ形成されている。
【００４８】
一方、各々のキャリヤプレート71は、図７に示されるように、無端ベルト14と接触して無端ベルト14上にある被搬送物の荷重を受ける上板部83と、この上板部83の両側にそれぞれ折曲形成された側板部84と、これらの側板部84より外側へそれぞれ折曲形成された下縁部85とにより形成されている。
【００４９】
そして、これらのキャリヤプレート71の組付けは、支持板76の先端側および基端側のフック部81，82に、左右に位置するキャリヤプレート71a ，71b の各片側の下縁部85を係合し、これらの左右のキャリヤプレート71a ，71b と、その間に配置された中央のキャリヤプレート71c との間に形成された凹部86に押え板87を嵌入して、隣接するキャリヤプレート71a ，71c および71b ，71c にて相互に対向する下縁部85上に押え板87を載せ、この押え板87の上側から挿入したボルト88を、支持板76の下側に係合させたナット部材89に螺合して締付けることにより、押え板87により各々のキャリヤプレート71の下縁部85を支持板76上に容易に固定できる。
【００５０】
ベルト受け体15の回動範囲を制限する手段は、前記支持板76の基端部から突設された閉じ位置係止部78および開き位置係止部79と、図２および図６に示されたように大径パイプで形成された本体フレーム11の下側に継手16で平行に取付けられた小径の係止ロッド90とにより構成し、この係止ロッド90により、閉じ位置係止部78または開き位置係止部79を係止する。
【００５１】
次に、図面に示された実施形態の作用を説明する。
【００５２】
このベルトコンベヤは、例えば、無端ベルト14により弁当箱を搬送しながらコンベヤ両側から箱内に種々のおかずを詰める作業などに用いられる。このため、無端ベルト14を外して、本体フレーム11、無端ベルト14およびベルト受け体15などを、ときどき洗浄する必要がある。無端ベルト14を外す手順を以下に説明する。
【００５３】
先ず、図６に示されるように、従動側のベルト巻掛輪装置13に設けられた両側のロックスリーブ68をアジャストボルト54側へ移動させることにより、ロックスリーブ68によるエンドローラハンガ62の固定を解除し、キャリヤローラ軸65を支点に従動側ローラ51のエンドローラハンガ62をナット部材59に対し上方に起こすようにして屈曲させることにより、無端ベルト14の張りを緩め、ベルト受け体15の開き動作を可能にする。
【００５４】
さらに、図４に示された駆動側のベルト巻掛輪装置12のロックスリーブ31をハウジング33側へスライドさせて、半欠部28，30の係合部から外すことにより、駆動側ローラ22の片側のエンドローラハンガ29およびハウジング33を取外して、ここに切欠開口を設ける。この状態で、駆動側ローラ22は、片持ち支持される。
【００５５】
さらに、緩められた無端ベルト14の上側部14b を持上げるようにしながら、図７に示されるように、本体フレーム11のパイプ11A ，11B を支点にして、４箇所のベルト受け体15を中央から観音開きに開く。
【００５６】
この観音開きのベルト受け体15は、片開きの場合よりも、無端ベルト14内で開く際に場所を取らず、限られた弛み量の無端ベルト14内で容易に開閉できるとともに、本体フレーム11内を全幅にわたって開口できる。
【００５７】
さらに、前記ロックスリーブ68の解除操作によりナット部材59の凹溝61が上方へ開放されているから、この凹溝61よりキャリヤローラ軸65を上方へ取出すようにして、従動側ローラ51のエンドローラハンガ62を取外す。
【００５８】
このとき、両側のエンドローラハンガ62と、その一端部間に連結されている従動側ローラ51のローラ軸64と、他端部間に連結されているキャリヤローラ66，67のキャリヤローラ軸65とで矩形枠状に構成された従動側のベルト巻掛輪装置13は、本体フレーム11から完全に分離されるので、これを無端ベルト14内から側方へ抜出すことができる。
【００５９】
このようにして従動側のベルト巻掛輪装置13が取外された無端ベルト14を、作業者は、従動側から巻取るようにして、ベルト受け体15が観音開き状態の本体フレーム11上へ外しながら、本体フレーム11に沿って駆動側へと移動し、片持ち支持の状態にある駆動側のベルト巻掛輪装置12まで無端ベルト14を巻取る。
【００６０】
最後に、この駆動側のベルト巻掛輪装置12にて、片側のエンドローラハンガ29などの取外しで設けられている前記切欠開口より、無端ベルト14を抜取る。
【００６１】
この無端ベルト14は、他の場所で水洗いした後、上記とは逆の手順で、駆動側のベルト巻掛輪装置12、従動側のベルト巻掛輪装置13およびベルト受け体15に装着する。
【００６２】
このため、本体フレーム11の両側に、作業者が立ち作業する狭いスペースのみを介して作業テーブルなどが並設されている場合であっても、作業者が本体フレーム11の片側で移動できるスペースがあれば、無端ベルト14の脱着を短時間で容易にでき、ベルト交換作業の効率を向上できる。
【００６３】
また、無端ベルト14を取外された本体フレーム11は、その場所でも水洗いすることが可能である。その際、円形断面の本体フレーム11は、従来の角形断面のフレームと比べて、埃が溜まりにくいとともに洗浄しやすい。
【００６４】
特に、円形断面の本体フレーム11は、それ自体がベルト受け体15の開閉支軸となり、図７に示されるように、本体フレーム11を支点にベルト受け体15が中央から観音開きに９０°以上開いて反転するから、ベルト受け体15の裏側も容易に洗浄でき、その裏側の汚れを容易に除去できる。
【００６５】
次に、図８に示されるように、本体フレーム11に係脱自在の作業台91を、必要に応じて本体フレーム11に係着して用いることもできる。
【００６６】
この作業台91は、複数の横継ぎロッド92で一体化された複数の支持板部93の上部に、載せ板94を取付けたものである。
【００６７】
支持板部93は、その基端部に、大径パイプの本体フレーム11に係合される円弧状のフック部95と、小径の係止ロッド90に当接される係止部96とが形成され、さらに上側部に載せ板94を支持する凸部97が形成されている。
【００６８】
支持板部93の先端側に形成された切込溝98に載せ板94の一側の側板部99に設けられた折曲縁部100 を係合するとともに、支持板部93の基端側に形成された切込溝101 に載せ板94の他側の側板部102 に設けられた折曲縁部103 を係合して、側板部102 と、隣接する凸部97との間に押えブロック104 を挿入することにより、載せ板94を容易に取付けることができる。
【００６９】
そして、フック部95を本体フレーム11に上側から係合するとともに、係止部96を係止ロッド90に当接するのみで、この作業台91を簡単に装着でき、また上方へ移動するのみで簡単に取外すことができる。
【００７０】
次に、図示された実施形態と異なる実施形態を説明する。
【００７１】
図示されたベルト受け体15は、複数のキャリヤプレート71により無端ベルト14の上側部14b を受けるキャリヤテーブルであるが、多数のローラ（図示せず）により無端ベルト14の上側部14b を受けるキャリヤローラをベルト受け体としても良い。
【００７２】
図示されたベルト受け体15は、上側へ開くようにしたが、下側へ開くようにしても良い。
【００７３】
図示されたベルト受け体15は、中央から観音開きで開閉したが、従動側のエンドローラハンガ62を長く形成するなどして、その屈曲操作により無端ベルト14の弛み量を大きく取れる場合は、ベルト受け体15を一側の本体フレーム11を支点として他側の本体フレーム11で開閉可能の片開き型としても良い。
【００７４】
この片開き型の場合は、ベルト受け体15を上方または下方へ開くときに、そのベルト受け体15と一体的に無端ベルト14を開くようにして取外すこともできる。この方式は、駆動側ローラ22なども予め取外しておくことにより、無端ベルト14の取外を迅速かつ容易に行える。
【００７５】
さらに、中央から一側のベルト受け体を固定するとともに、他側のベルト受け体のみを片開き可能としても良いし、また、中央から観音開き可能のベルト受け体15を片開き状態のまま、無端ベルト14を外しても良い。
【００７６】
要するに、一端部および他端部のベルト巻掛輪装置12，13のそれぞれの少なくとも一部を分離するとともに、ベルト受け体15を開いて、無端ベルト14を本体フレーム11内より上方または下方へ取出すようにする。
【００７７】
【発明の効果】
請求項１記載の発明によれば、一端部および他端部のベルト巻掛輪装置のそれぞれの少なくとも一部を分離するとともに、ベルト受け体を本体フレームを支点に回動させて開くことにより、無端ベルトを本体フレーム内より上方または下方へ取出すことができ、コンベヤの周囲に余裕スペースがない場合でも無端ベルトを短時間で容易に脱着でき、無端ベルトおよび本体フレームなどの洗浄または部品交換などのメンテナンスに要する作業効率を向上でき、また、ベルト受け体が、本体フレームを支点に回動して開くから、反転状態のベルト受け体の裏側を容易に洗浄でき、作業性を向上できる。
【００７８】
請求項２記載の発明によれば、一端部および他端部のベルト巻掛輪装置のそれぞれの少なくとも一部を分離するとともに、ベルト受け体を中央から観音開きで開くことにより、無端ベルトを本体フレーム内より上方または下方へ取出すことができ、コンベヤの周囲に余裕スペースがない場合でも無端ベルトを短時間で容易に脱着でき、無端ベルトおよび本体フレームなどの洗浄または部品交換などのメンテナンスに要する作業効率を向上でき、また、中央から観音開きで開閉可能のベルト受け体は、片開きの場合よりも、限られた弛み量の無端ベルト内で容易に開閉できるとともに、本体フレーム内を全幅にわたって開口できる。
【００７９】
請求項３記載の発明によれば、円形断面のパイプにより形成された本体フレームは、角形断面フレームより埃が溜まりにくいとともに洗浄しやすく、衛生面で優れている。また、円形断面の本体フレームは、それ自体がベルト受け体の開閉支軸ともなり、ベルト受け体の軸支構造が簡単になる。
【００８０】
請求項４記載の発明によれば、従動側のベルト巻掛輪装置を屈曲させることにより、ベルト受け体を開くに当って無端ベルトを緩め、また、駆動側のベルト巻掛輪装置の一部を外して開口し、ベルト受け体を開き、さらに、従動側のベルト巻掛輪装置を本体フレームから外して無端ベルトから抜取ることにより、作業者は、本体フレームに沿って従動側から駆動側へと移動しながら、無端ベルトを巻取るようにしながら本体フレームより簡単に取外すことができる。
【００８１】
請求項５記載の発明によれば、本体フレームに係脱自在の作業台を、必要に応じて本体フレームに係着して用いることができ、作業性を向上できる。
【図面の簡単な説明】
【図１】  本発明に係るベルトコンベヤの実施の一形態を示す平面図である。
【図２】  同上ベルトコンベヤの正面図である。
【図３】  図２のIII −III 線断面図である。
【図４】  同上ベルトコンベヤにおける駆動側のベルト巻掛輪装置の平面図である。
【図５】  同上ベルトコンベヤにおける従動側のベルト巻掛輪装置の平面図である。
【図６】  同上従動側のベルト巻掛輪装置の一部を切欠いた正面図である。
【図７】  同上ベルトコンベヤにおけるベルト受け体を示す断面図である。
【図８】  同上ベルトコンベヤに係着された作業台を示す正面図である。
【図９】  従来のベルト脱着可能のベルトコンベヤを示す斜視図である。
【符号の説明】
11    本体フレーム
12    駆動側のベルト巻掛輪装置
13    従動側のベルト巻掛輪装置
14    無端ベルト
14a   下側部
14b   上側部
15    ベルト受け体
91    作業台
【図１】
0003745120.tif 000002
【図２】
0003745120.tif 000003
【図３】
0003745120.tif 000004
【図４】
0003745120.tif 000005
【図５】
0003745120.tif 000006
【図６】
0003745120.tif 000007
【図７】
0003745120.tif 000008
【図８】
0003745120.tif 000009
【図９】
0003745120.tif 000010